(57)【特許請求の範囲】
【請求項１】
板状記憶媒体を挿脱可能に収納するケーシングと、該ケーシングの側部に設けられた保持機構とからなり、該保持機構が、前記ケーシングに収納された板状記憶媒体を引き抜き不可能に保持するとともに、該ケーシングに収納されている板状記憶媒体がその挿入方向であるケーシング奥側へ押し込まれた際に該板状記憶媒体の保持を解除し、該板状記憶媒体を前記ケーシングから挿入時と逆向きに押し出すよう構成された板状記憶媒体用ホルダにおいて、
前記保持機構は、前記ケーシングへの板状記憶媒体の挿入方向に沿って延在した状態で該ケーシングの側部に設けられた機構収容部と、この機構収容部内の底面に形成された溝カムと、前記機構収容部内にこれの延在方向へ移動可能に設けられ、前記ケーシング内に板状記憶媒体が挿入された際これに押圧されて前記板状記憶媒体の挿入方向に向けて移動するスライダと、このスライダに基端部が取り付けられ、該基端部を中心として該基端部から前記板状記憶媒体の挿入方向に向けて配置された先端側が揺動可能とされ、この先端側に前記溝カムに係合して該溝カムに沿って移動するカム係合部が突設された揺動バーと、前記スライダを前記板状記憶媒体の引き抜き方向に付勢するスライダ付勢部材と、前記スライダーに、前記ケーシングの前記板状記憶媒体を収容する収容空間部側へ向けて進退可能に設けられ、該スライダが前記板状記憶媒体に押圧されて前記板状記憶媒体の挿入方向へ移動した際、前記収容空間部側に前進して該板状記憶媒体に係合し、該板状記憶媒体の前記収容空間部への収納状態を維持するとともに、板状記憶媒体がケーシングから押し出された際、後退して該板状記憶媒体への係合を解除するラッチと、前記スライダーの、前記揺動バーの近傍に配置され、かつ該揺動バーの長さ方向に沿って移動可能に設けられた規制ブロックと、前記規制ブロックの、揺動バー先端側への移動を規制する、トーションバネからなるブロック付勢部材と、を有してなり、
前記溝カムは、前記機構収容部の延在方向に沿って延在する第１溝と、この第１溝における前記板状記憶媒体の挿入方向の端部から前記板状記憶媒体の引き抜き方向に向かい、かつ該第１溝から離間する方向に向かって斜めに延在する第２溝と、この第２溝における前記板状記憶媒体の引き抜き方向の端部から前記板状記憶媒体の挿入方向に向かい、かつ該第２溝から離間する方向に向かって斜めに延在する第３溝と、この第３溝における前記板状記憶媒体の挿入方向の端部から前記板状記憶媒体の引き抜き方向に延在し、前記第１溝の経路中に連通する第４溝とを有し、前記揺動バーのカム係合部を第１溝、第２溝、第３溝、第４溝、第１溝の順に案内するようになっており、
前記カム係合部が溝カムの第３溝にある状態のもとで、前記板状記憶媒体による押圧に基づく前記スライダの前記板状記憶媒体の挿入方向への移動でなく、不測の力を受けて揺動バーが前記板状記憶媒体の挿入方向に移動しようとした際、該不測の力を受けた前記規制ブロックがブロック付勢部材の規制に抗して揺動バー先端側に移動することにより、該規制ブロックに規制されて揺動バーのカム係合部の、第３溝から第４溝への移動が不能となるように構成されたことを特徴とする板状記憶媒体用ホルダ。
【請求項２】
前記スライダには、前記揺動バーを押さえて溝カム側から浮き上がるのを防止するバー押さえ部が設けられていることをことを特徴とする請求項１記載の板状記憶媒体用ホルダ。
【請求項３】
前記溝カムの、第２溝と第３溝との連結部側が、第１溝と第４溝との連結部側よりその溝の深さが深く形成されていることを特徴とする請求項１又は２記載の板状記憶媒体用ホルダ。
【請求項４】
前記板状記憶媒体はその先端側が凹んで形成されており、
前記ケーシングに、板状記憶媒体が逆向きあるいは表裏逆に誤挿入された際に、この板状記憶媒体に押圧されてスライダが移動し、前記揺動バーのカム係合部が第２溝に至る前に、前記板状記憶媒体に干渉することで前記板状記憶媒体の移動を停止させる誤挿入防止部が、前記板状記憶媒体を収納する収納空間内に突出して設けられており、
前記誤挿入防止部は、前記ケーシングに前記板状記憶媒体が正規に挿入された際に、該板状記憶媒体の前記の凹んだ箇所が該誤挿入防止部を乗り越えていくことにより、前記板状記憶媒体に干渉しないよう構成されていることを特徴とする請求項１〜３のいずれかに記載の板状記憶媒体用ホルダ。
【請求項５】
前記ラッチは、付勢部材によって前記ケーシングの前記板状記憶媒体を収容する収容空間部側に付勢されているとともに、その係合突起が機構収容部内の底面に形成された案内カムに移動可能に係合することによって前記スライダーに進退可能に設けられており、
前記案内カムは、板状記憶媒体が誤挿入された際、板状記憶媒体にラッチが係合する係合凹部がなく、したがってラッチが該板状記憶媒体の側面に当接したとき、該ラッチを前記ケーシングの前記板状記憶媒体を収容する収容空間部側に前進させずに後退した状態を維持させるように案内することを特徴とする請求項１〜４のいずれかに記載の板状記憶媒体用ホルダ。
【発明の詳細な説明】
【０００１】
【発明の属する技術分野】
本発明は、例えばメモリーカード（メモリースティック等）などの板状記憶媒体が差し込まれる各種端末機器に搭載されて、前記板状記憶媒体を収納状態に保持するとともに、収納状態になっている板状記憶媒体の押し込み操作によって前記板状記憶媒体の保持を解除して、前記板状記憶媒体を外側へ押し出す板状記憶媒体用ホルダに関する。
【０００２】
【従来の技術】
近年、デジタルカメラや、携帯電話等の各種端末機器としては、メモリーカード（メモリースティック等）などの板状記憶媒体が差し込まれて、データの読み取り及び／又は書き込みを行うものが急速に普及してきている。このような端末機器おいて、メモリーカード（メモリースティック、ＳＤカード等）などの板状記憶媒体が差し込まれるホルダとしては、差し込まれた板状記憶媒体を収納状態に保持するとともに、収納状態になっている板状記憶媒体が押し込み操作されることで板状記憶媒体の保持を解除して、前記板状記憶媒体を外側へ押し出す、いわゆるプッシュ・プッシュ式の保持機構が広く採用され、板状記憶媒体の挿脱（差し込み・取り出し）についての利便性が図られている。
【０００３】
前述のプッシュ・プッシュ式の保持機構としては、いわゆるハートカム（ハート型の溝カム）を利用したものが知られてる。このハートカムを利用した保持機構は、板状記憶媒体が差し込まれるホルダ（ケーシング）の側部に設けられたスライダが、ホルダへ挿入される板状記憶媒体により押圧されてホルダ奥側に移動させられ、このスライダに設けられた係合部が前記ハートカムに沿って移動することによって構成されている。
【０００４】
前記ハートカムは、ホルダに対する板状記憶媒体の挿入方向に沿って延在する第１溝と、この第１溝における、板状記憶媒体の挿入方向奥側（以下「奥側」）に位置する端部から板状記憶媒体が挿入されるホルダの差込口側（以下「差込口側）に向けて斜めに延びる第２溝と、この第２溝の差込口側端部から奥側へ向けて前記第１溝に対し離間する斜め方向に延びる第３溝と、この第３溝の奥側端部から前記差込口側に延在して前記第１溝に連通する第４溝とを有してなるもので、前記スライダの係合部を第１溝、第２溝、第３溝、第４溝、第１溝の順に案内するよう構成されたものである。
【０００５】
スライダは、スプリングによって差込口側に付勢されたもので、ホルダに対する板状記憶媒体の挿入に追従して第１溝の奥側端部に到達した後、前記スプリングの付勢力によって第２溝を差込口側へ押し戻され、第２溝と第３溝との連結部に係止するようになっている。また、板状記憶媒体は、ホルダ内にて係止手段により係脱可能に係止されるようになっている。したがって、ホルダに差し込まれた板状記憶媒体は、引き抜き不可能に保持され、ホルダ内に収納された状態が維持されるようになっている。
【０００６】
また、この収納状態にある板状記憶媒体を挿入方向奥側へ押圧すると、板状記憶媒体の押し込みに伴って挿入方向奥側に押し込まれたスライダの前記係合部が第３溝を経由して第４溝に到達する。そして、板状記憶媒体の押し込み力の解除に伴い、前記スプリングの付勢力により前記係合部が前記第４溝に沿って移動し、スライダが差込口方向に戻される。すると、所定位置へのスライダの移動により係止手段による板状記憶媒体の係止が解除され、スライダによる差込口方向への板状記憶媒体の押圧が継続されることで、板状記憶媒体は、挿入時とは逆に差込口から押し出される。
【０００７】
【発明が解決しようとする課題】
しかしながら、前述のような保持機構では、例えばこの保持機構を搭載し、この保持機構に板状記憶媒体を保持した状態にある端末機器を誤って落したりした場合に、ホルダへの板状記憶媒体の押し込み力が作用しなくても、ホルダでの板状記憶媒体の保持状態が解除され、スライダ用のスプリングの付勢力により差込口に押し出され、引き抜き可能になったり、あるいは落ちた際の衝撃力によってそのまま板状記憶媒体が飛び出してしまう可能性があった。
【０００８】
すなわち、端末機器に加わった不測の衝撃力により、第２溝と第３溝との連結部から第３溝の奥側端部に向けて係合部を移動させる力が作用した場合に、第３溝の奥側に移動した係合部が第３溝から第２溝との連結部に復帰すればスライダの係止状態が維持され、ホルダでの板状記憶媒体の保持状態が維持されるものの、第３溝の奥側に移動した係合部が第３溝から第４溝に入り込んでしまうと、スプリングの付勢力によってスライダが差込口側に押し戻され、係止手段による板状記憶媒体の係止状態が解除される。すると、この状態では、ホルダから板状記憶媒体が簡単に抜き出てしまうため、落ちた際の衝撃力によってそのまま板状記憶媒体が飛び出してしまい、壊れたり紛失されたりする可能性があった。
【０００９】
このような問題に対し、例えばスライダ押圧用のスプリングの押圧力を高め、第３溝にある係合部が第３溝奥側へ移動しにくくすることで、衝撃力等によって不用意に保持状態が解除されないようにする対策がとられる場合がある。しかし、このような対策では、板状記憶媒体の取り出し時の押し込み操作がしくくなり、結果として正常に保持解除を行う際の操作性の低下を招いてしまう。
【００１０】
本発明は前述の課題に鑑みてなされたもので、振動や衝撃力等の外力が作用しても、板状記憶媒体の収納、保持状態を確実に維持できる、板状記憶媒体用ホルダを提供することを目的としている。
【００１１】
【課題を解決するための手段】
本発明の板状記憶媒体用ホルダでは、板状記憶媒体を挿脱可能に収納するケーシングと、該ケーシングの側部に設けられた保持機構とからなり、該保持機構が、前記ケーシングに収納された板状記憶媒体を引き抜き不可能に保持するとともに、該ケーシングに収納されている板状記憶媒体がその挿入方向であるケーシング奥側へ押し込まれた際に該板状記憶媒体の保持を解除し、該板状記憶媒体を前記ケーシングから挿入時と逆向きに押し出すよう構成された板状記憶媒体用ホルダにおいて、前記保持機構は、前記ケーシングへの板状記憶媒体の挿入方向に沿って延在した状態で該ケーシングの側部に設けられた機構収容部と、この機構収容部内の底面に形成された溝カムと、前記機構収容部内にこれの延在方向へ移動可能に設けられ、前記ケーシング内に板状記憶媒体が挿入された際これに押圧されて前記板状記憶媒体の挿入方向に向けて移動するスライダと、このスライダに基端部が取り付けられ、該基端部を中心として該基端部から前記板状記憶媒体の挿入方向に向けて配置された先端側が揺動可能とされ、この先端側に前記溝カムに係合して該溝カムに沿って移動するカム係合部が突設された揺動バーと、前記スライダを前記板状記憶媒体の引き抜き方向に付勢するスライダ付勢部材と、前記スライダーに、前記ケーシングの前記板状記憶媒体を収容する収容空間部側へ向けて進退可能に設けられ、該スライダが前記板状記憶媒体に押圧されて前記板状記憶媒体の挿入方向へ移動した際、前記収容空間部側に前進して該板状記憶媒体に係合し、該板状記憶媒体の前記収容空間部への収納状態を維持するとともに、板状記憶媒体がケーシングから押し出された際、後退して該板状記憶媒体への係合を解除するラッチと、前記スライダーの、前記揺動バーの近傍に配置され、かつ該揺動バーの長さ方向に沿って移動可能に設けられた規制ブロックと、前記規制ブロックの、揺動バー先端側への移動を規制する、トーションバネからなるブロック付勢部材と、を有してなり、前記溝カムは、前記機構収容部の延在方向に沿って延在する第１溝と、この第１溝における前記板状記憶媒体の挿入方向の端部から前記板状記憶媒体の引き抜き方向に向かい、かつ該第１溝から離間する方向に向かって斜めに延在する第２溝と、この第２溝における前記板状記憶媒体の引き抜き方向の端部から前記板状記憶媒体の挿入方向に向かい、かつ該第２溝から離間する方向に向かって斜めに延在する第３溝と、この第３溝における前記板状記憶媒体の挿入方向の端部から前記板状記憶媒体の引き抜き方向に延在し、前記第１溝の経路中に連通する第４溝とを有し、前記揺動バーのカム係合部を第１溝、第２溝、第３溝、第４溝、第１溝の順に案内するようになっており、
前記カム係合部が溝カムの第３溝にある状態のもとで、前記板状記憶媒体による押圧に基づく前記スライダの前記板状記憶媒体の挿入方向への移動でなく、不測の力を受けて揺動バーが前記板状記憶媒体の挿入方向に移動しようとした際、該不測の力を受けた前記規制ブロックがブロック付勢部材の規制に抗して揺動バー先端側に移動することにより、該規制ブロックに規制されて揺動バーのカム係合部の、第３溝から第４溝への移動が不能となるように構成されたことを前記課題の解決手段とした。
【００１２】
この板状記憶媒体用ホルダによれば、まず、板状記憶媒体をケーシングに挿入すると、スライダがこれに追従してこれに取り付けられた揺動バーのカム係合部が第１溝の奥側端部に到達する。そして、操作者が奥側に突き当たったことを感じて押圧力を解除すると、スライダがスライダ付勢部材によって前記板状記憶媒体の引き抜き方向に付勢されることにより、前記カム係合部が第２溝と第３溝との連結部に係止する。したがって、この状態においては、ケーシングに収納されている板状記憶媒体は保持機構のラッチによって引き抜き不可能な収納状態に維持される。
【００１３】
そして、この状態から板状記憶媒体を引き出すべく、再度板状記憶媒体を押圧すると、この板状記憶媒体に押圧されてスライダが前記板状記憶媒体の挿入方向へ移動する。このとき、規制ブロックはブロック付勢部材によって揺動バー先端側に移動することが規制されていることにより、揺動バーは規制ブロックに規制されることなく揺動し、カム係合部が第３溝から第４溝に移動する。したがって、操作者が奥側に突き当たったことを感知して押圧力を解除すると、スライダがスライダ付勢部材によって前記板状記憶媒体の引き抜き方向に付勢されることにより、カム係合部は第４溝から第１溝に移動し、また、板状記憶媒体もスライダに伴われてその一部がケーシングから引き出され、ラッチの係合が解除されることにより、保持機構による板状記憶媒体の保持が解除される。
【００１４】
また、板状記憶媒体をケーシングに挿入し、これを引き抜き不可能な収納状態に維持しているとき、この板状記憶媒体ホルダが搭載されている機器に振動や衝撃力等（例えば、この板状記憶媒体ホルダが搭載されている携帯電話の落下着地時の衝撃等）の不測の力が働いて、この力が前記板状記憶媒体の挿入方向へスライダを変位させる方向に作用すると、この不測の力を受けた規制ブロックがブロック付勢部材の規制に抗して揺動バー先端側に移動する。すると、揺動バーが規制ブロックに規制され、カム係合部の第３溝から第４溝への移動が不能となる。したがって、このようにカム係合部の移動が不能となることにより、落ちた際の衝撃力等によって保持機構による板状記憶媒体の保持が解除され、板状記憶媒体がケーシングから飛び出してしまうといった不都合が防止される。
【００１５】
また、前記板状記憶媒体用ホルダにおいては、前記スライダに、前記揺動バーを押さえて溝カム側から浮き上がるのを防止するバー押さえ部を設けるのが好ましい。
このようにすれば、揺動バーのカム係合部が溝カムから外れてしまうのが防止される。
【００１６】
また、前記板状記憶媒体用ホルダにおいては、前記溝カムの、第２溝と第３溝との連結部側が、第１溝と第４溝との連結部側よりその溝の深さが深く形成されているのが好ましい。
このようにすれば、板状記憶媒体が保持機構に保持され、したがってカム係合部が第２溝と第３溝との連結部に位置した状態にあるとき、溝カムの溝の深さが深くなっていることからカム係合部の溝カムへの係合が安定し、これにより不測の力等によってカム係合部が浮き上がり、溝カムから外れてしまうことが防止される。
【００１７】
また、前記板状記憶媒体用ホルダにおいては、前記板状記憶媒体はその先端側が凹んで形成されており、前記ケーシングに、板状記憶媒体が逆向きあるいは表裏逆に誤挿入された際に、この板状記憶媒体に押圧されてスライダが移動し、前記揺動バーのカム係合部が第２溝に至る前に、前記板状記憶媒体に干渉することで前記板状記憶媒体の移動を停止させる誤挿入防止部が、前記板状記憶媒体を収納する収納空間内に突出して設けられており、前記誤挿入防止部は、前記ケーシングに前記板状記憶媒体が正規に挿入された際に、該板状記憶媒体の前記の凹んだ箇所が該誤挿入防止部を乗り越えていくことにより、前記板状記憶媒体に干渉しないよう構成されているのが好ましい。
このようにすれば、誤挿入された際、保持機構が保持のための動作を起こす前に誤挿入防止部によってその動作が停止させられるので、誤挿入に起因して保持機構等が故障するなどの不都合が未然に防止される。
【００１８】
また、前記板状記憶媒体用ホルダにおいては、前記ラッチが、付勢部材によって前記ケーシングの前記板状記憶媒体を収容する収容空間部側に付勢されているとともに、その係合突起が機構収容部内の底面に形成された案内カムに移動可能に係合することによって前記スライダーに進退可能に設けられており、前記案内カムは、板状記憶媒体が誤挿入された際、板状記憶媒体にラッチが係合する係合凹部がなく、したがってラッチが該板状記憶媒体の側面に当接したとき、該ラッチを前記ケーシングの前記板状記憶媒体を収容する収容空間部側に前進させずに後退した状態を維持させるように案内するよう形成されているのが好ましい。
このようにすれば、板状記憶媒体が逆向きあるいは表裏逆に誤挿入された際に、ラッチが案内カムに案内されて前進することなく後退した状態が維持されるようになっているので、誤挿入に起因してラッチが破損してしまうことが防止される。
【００１９】
【発明の実施の形態】
以下、本発明の板状記憶媒体用ホルダを詳しく説明する。
図１〜図９は、本発明の板状記憶媒体用ホルダの一実施形態例を示す図であり、これらの図において符号１は板状記憶媒体用ホルダ（以下「ホルダ」と略称する場合がある）である。
【００２０】
このホルダ１は、図１、図２に示すように、板状記憶媒体４０を挿脱可能に収納する樹脂製のケーシング２と、このケーシング２の側部に設けられた保持機構３とからなるものである。なお、板状記憶媒体４０としては、本例では図１に示したような長方形板状のメモリーカード（メモリースティック）が用いられる。ケーシング２は、板状記憶媒体４０を挿入する差込口２ａ及び該差込口２ａから挿入された板状記憶媒体４０を収納する収納空間２ｂを有した、中空ケース状のものである。このケーシング２には、板状記憶媒体４０の挿入方向奥側に端子２ｃ（図１、図２中二点鎖線で示す）が設けられており、板状記憶媒体４０が収納空間２ｂに挿入されると、その挿入先端の裏面側に露出された接続端子４０ａが、端子２ｃに接続して電気的に導通するようになっている。端子２ｃは、ケーシング２の差入口２ａと反対の側に形成された開口（図示せず）から差し込まれたコネクタ（図示せず）に設けられたもので、このコネクタは回路基板（図示せず）に半田付けされている。このような構成のもとに、端子２ｃに板状記憶媒体４０の接続端子４０ａが接続されると、該端子２ｃを介して、板状記憶媒体４０側の電気回路と、回路基板側の電気回路とが電気的に接続し、これにより、板状記憶媒体４０に内蔵の記憶媒体本体に対するデータの読み出しや、書き込み等が可能となっている。
【００２１】
また、ケーシング２には、端子２ｃより差入口２ａ側の底面に誤挿入防止部２ｄが形成されている。この誤挿入防止部２ｄは、差入口２ａに平行して帯状に突出して形成されたもので、板状記憶媒体４０が逆向きあるいは表裏逆に誤挿入された際に、この誤挿入された板状記憶媒体４０の先端に当接してそれ以上の挿入ができなくなるようにしたものである。なお、板状記憶媒体４０が正規に挿入された場合には、接続端子４０ａを形成した面の先端側が凹んで形成されているため、この凹んだ箇所が誤挿入防止部２ｄに干渉されることなくこれを乗り越えていくことにより、挿入が可能になっている。ここで、この誤挿入防止部２ｄは、後述するように誤挿入された板状記憶媒体４０がスライダを押圧して移動した際、揺動バーのカム係合部が第２溝に至る前に板状記憶媒体４０の移動を停止させる位置に、形成されたものとなっている。
【００２２】
保持機構３は、ハートカム（ハート型の溝カム）を利用したプッシュ・プッシュ式のもので、図２に示すように、前記収納空間２ｂに収納された板状記憶媒体４０を引き抜き不可能に保持するとともに、前記収納空間２ｂに収納されている板状記憶媒体４０の前記差込口２ａからケーシング２奥側への押し込みにより、該板状記憶媒体４０の保持を解除し、該板状記憶媒体４０を収納空間２ｂへの挿入時と逆向きに差込口２ａから押し出すよう構成されたものである。
【００２３】
この保持機構３は、前記ケーシング２の側部に設けられた機構収容部４と、この機構収容部４内の底面に形成された溝カム５と、該機構収容部４内に設けられたスライダ６と、このスライダ６に取り付けられた揺動バー７、ラッチ８、規制ブロック９および該規制ブロック９の移動を規制するブロック付勢部材１０と、スライダ６を機構収容部４の手前側に付勢するスライダ付勢部材１１とを有してなるものである。
【００２４】
機構収容部４は、ケーシング２の側部にて該ケーシング２の長手方向、すなわち板状記憶媒体４０の挿入方向に沿って延在した状態に形成されたもので、ケーシング２と一体成形された樹脂製のものである。なお、この機構収容部４について、以下、板状記憶媒体４０の挿入方向（挿入方向奥側）に対応する側（図２中上側）を「奥側」とし、これと逆側となる板状記憶媒体４０の引き抜き方向（図２中下側）を「手前側」と称する。
【００２５】
溝カム５は、図３（ａ）に示すように第１溝５ａ、第２溝５ｂ、第３溝５ｃ、第４溝５ｄをハート型にしたハートカムとなるものである。すなわち、機構収容部４の延在方向に沿って延在した状態に第１溝５ａを形成し、この第１溝５ａにおける機構収容部４奥側の端部Ｐ１から機構収容部４手前側に向かい、かつ該第１溝５ａから離間する方向に向かって斜めに延在する第２溝５ｂと、この第２溝５ｂにおける機構収容部４手前側の端部Ｐ２から機構収容部４奥側に向かい、かつ該第２溝５ｂから離間する方向に向かって斜めに延在する第３溝５ｃと、この第３溝５ｃにおける機構収容部４奥側の端部Ｐ３から機構収容部４手前側に延在し、前記第１溝５ａの経路中に連通する第４溝５ｄとを有してなるものである。前記の端部Ｐ１は第１溝５ａと第２溝５ｂとの連結部となっており、端部Ｐ２は第２溝５ｂと第３溝５ｃとの連結部となっており、端部Ｐ３は第３溝５ｃと第４溝５ｄとの連結部となっている。
【００２６】
端部（連結部）Ｐ１には、第１溝５ａ側が第２溝５ｂ側に対して高い（溝の深さが浅い）段差Ｄ１が形成されており、これによって、後述するように第２溝５ｂ側に入り込んだカム係合部が第１溝５ａ側に戻らないようになっている。また、第２溝５ｂと第３溝５ｃとの間の連結部Ｐ２、第３溝５ｃと第４溝５ｄとの間の連結部Ｐ３、第４溝５ｄと第１溝５ａとの間の連結部Ｐ４にも、第１溝５ａと第２溝５ｂとの間の連結部Ｐ１と同様に、それぞれ段差Ｄ２（Ｄ３、Ｄ４）が形成されており、これによってカム係合部の戻りが防止されている。そして、このような構成によって溝カム５は、後述するように揺動バー７のカム係合部を第１溝５ａ、第２溝５ｂ、第３溝５ｃ、第４溝５ｄ、第１溝５ａの順に一方通行となるよう案内するようになっている。なお、この溝カム５を構成する第１溝５ａ、第２溝５ｂ、第３溝５ｃ、第４溝５ｄのうちの少なくとも一つには、カム係合部を案内する方向に向けてその前側が後側に比べて深さが浅くなる、上り勾配が形成されている。
【００２７】
また、この溝カム５を形成する機構収容部４内の底面には、図３（ａ）に示すように第１溝５ａおよび第４溝５ｄの途中部分にて斜面１２が形成されている。この斜面１２は、図３（ｂ）の機構収容部４底板の側面図に示すように、第１溝５ａと第４溝５ｄとの間の連結部Ｐ４側が低く、第２溝５ｂと第３溝５ｃとの間の連結部Ｐ２側が高くなっている。このような構成のもとに、斜面１２に対する溝カム５の連結部Ｐ２側は、連結部Ｐ４側よりその溝の深さが深く形成されたものとなっている。
【００２８】
スライダ６は、前記機構収容部４においてこれの延在方向、すなわち前記板状記憶媒体４０の挿入方向及び離脱方向に沿う方向へ安定して移動できるよう設けられた樹脂製のものである。このスライダ６には、図２および図４に示すように、機構収容部４奥側にコイルバネ受け用の穴（図示せず）が形成され、この穴を形成した奥側におけるケーシング２側の側部に、板状記憶媒体４０の側部に形成された係合部４０ｂ（図１、図２参照）に係合する薄板部１３が形成されている。この薄板部１３は、ケーシング２に板状記憶媒体４０が挿入された際に板状記憶媒体４０の係合部４０ｂに係合し、さらにその端縁１３ａが係合部４０ｂの押圧壁４０ｃ（図１、図２参照）に押圧されるようになっている。そして、このような構成のもとにスライダ６は、ケーシング２に板状記憶媒体４０が挿入されると、その押圧壁４０ｃに押圧されて機構収容部４の奥側に押し込まれるようになっている。
【００２９】
薄板部１３と反対の側には、前述したように揺動バー７の基端部７ａが、該揺動バー７の先端側が揺動可能となるように取り付けられており、この揺動バー７が取り付けられた側には、該揺動バー７を押さえてこれが溝カム５側から浮き上がるのを防止する庇状のバー押さえ部１４が形成されている。
【００３０】
また、スライダ６の裏面側（機構収容部４の底面側）には、ケーシング２側に通じるラッチ収容部１５が形成されており、このラッチ収容部１５には、後述するように板状記憶媒体４０に係合してこれのケーシング２への収納状態を維持するラッチ８が収容されている。このラッチ８は、ケーシング２側へ向けて進退可能に配設されたもので、コイルばねからなるラッチ付勢部材１６によってケーシング２側に付勢されたものである。また、このラッチ８の裏面側には、機構収容部４の底面に形成された案内カム１７に移動可能に係合する係合突起８ａが形成されている。案内カム１７は、機構収容部４の底面（底板）が切り欠かれて形成された略直角三角形状の開口によってなるもので、この開口内にラッチ８の係合突起８ａを移動させ、これによってラッチ８を案内するものである。
【００３１】
また、スライダ６の裏面側には、突起１８が形成されており、この突起１８は機構収容部４の底面に形成されたスリット１９にその長さ方向に沿って移動可能に係合している。このような構成のもとにスライダ６は、その移動が円滑かつ安定的になされるようになっている。
また、スライダ６の表面側の、前記揺動バー７の近傍には、該揺動バー７の長さ方向に沿って案内溝２０が形成されており、この案内溝２０内には平面視長円状の規制ブロック９が移動可能に配設されている。さらに、前記案内溝２０の近傍には付勢部材保持溝２１が形成されており、この付勢部材保持溝２１には、前記規制ブロック９の揺動バー７先端側への移動を規制する、トーションバネからなるブロック付勢部材１０が配設されている。
【００３２】
スライダ６の前記穴には、コイルスプリングからなるスライダ付勢部材１１の一端側が挿入されている。このスライダ付勢部材１１は、その他端側が機構収容部４奥側の内壁面に形成された円柱状の取付部２２に巻装してこれに固定されたもので、これにより前記スライダ６を機構収容部４奥側から機構収容部４手前側に付勢するものとなっている。
【００３３】
前記揺動バー７は、ワイヤ状の長細い金属ピンからなるもので、その一端側が直角に屈曲されて基端部７ａとされ、これが前述したようにスライダ６に回動可能に挿入されて取付固定されたものである。そして、このような構成のもとに、揺動バー７は機構収容部４奥側に向けて配置された先端側が揺動可能なものとなっている。また、この揺動バー７の他端側（先端側）は、基端部７ａと同様に屈曲されてカム係合部７ｂとなっており、このカム係合部７ｂ側が揺動可能になっていることにより、該カム係合部７ｂは後述するように溝カム５内をこれの形状に沿って移動可能となっている。
【００３４】
前記規制ブロック９は、案内溝２０内に配設されたことにより揺動バー７の長さ方向に沿って移動可能となっており、これによって後述するように不測の力が作用した際、この不測の力を受けてブロック付勢部材１０の規制に抗して揺動バー７先端側に移動し、揺動バー７に干渉してこれの揺動（移動）を規制するようになっている。案内溝２０には、その機構収容部４手前側に、ケーシング２側に向けて幅を広くしてなる幅広部２０ａが形成されている。この幅広部２０ａは、後述するように揺動バー７が板状記憶媒体４０の正規な取り出し動作に基づいて揺動させられた際、規制ブロック９が揺動バー７を規制しないように移動するための場所である。
【００３５】
次に、このような構成からなるホルダ１の動作を説明する。
（板状記憶媒体の挿入前）
まず、板状記憶媒体４０をケーシング２に挿入する前の状態では、図２に示したようにスライダ６はスライダ付勢部材１１の付勢力によって機構収容部４の手前側、すなわち初期位置にあり、また揺動バー７のカム係合部７ｂは溝カム５中の第１溝５ａに位置した状態となっており、さらにラッチ８はその係合突起８ａが案内カム１７の初期位置、すなわち機構収容部４の手前側の端部に位置し、これによってスライダ６からケーシング２側に突出することなく、スライダ６に収まった状態となっている。
【００３６】
（板状記憶媒体の挿入時）
ケーシング２に板状記憶媒体４０を挿入すると、図２に示したようにスライダ６の薄板部１３が板状記憶媒体４０側部の係合部４０ｂに係合し、さらにその端縁１３ａが係合部４０ｂの押圧壁４０ｃによって押圧されることにより、図５に示すようにこの板状記憶媒体４０に伴われてスライダ６が機構収容部４奥側に押し込まれる。そして、これに伴い、揺動バー７のカム係合部７ｂは第１溝５ａに沿って該第１溝５ａと第２溝５ｂとの連結部Ｐ１に向けて移動する。
また、これに伴ってラッチ８も機構収容部４奥側に移動することにより、その係合突起８ａが案内カム１７内を移動し、機構収容部４奥側に移動する。すると、案内カム１７の奥側はケーシング２側に向かって開口幅が広げられていることにより、ラッチ８はラッチ付勢部材１６によってケーシング２側に付勢され、案内カム１７の斜辺１７ａに沿って移動することによりケーシング２側に前進する。そのとき、板状記憶媒体４０には、側部の予め設定された位置に係合凹部４０ｄが形成されていることにより、ケーシング２側に前進して突出したラッチ８が、この係合凹部４０ｄに挿入された状態で係合する。
【００３７】
板状記憶媒体４０は、図５に示したように収納空間２ｂ内の奥側の壁（図示せず）に当接したところで挿入限界に達する。このとき、カム係合部７ｂが第１溝５ａと第２溝５ｂとの連結部Ｐ１に到達する。
板状記憶媒体４０が挿入限界に達したところで、操作者がこれを感知してケーシング２への板状記憶媒体４０の押し込み力を解除すると、スライダ６はスライダ付勢部材１１の付勢力によって機構収容部４手前側に向けて押し戻され、これによりカム係合部７ｂが第１溝５ａから第２溝５ｂに入り込む。そして、第２溝５ｂを移動するカム係合部７ｂが、第２溝５ｂと第３溝５ｃとの連結部Ｐ２に到達し、ここに係止されることで、スライダ６の機構収容部４手前側への移動が停止し、図６に示す状態となる。この状態では、機構収容部４手前側へのスライダ付勢部材１１の付勢力により、カム係合部７ｂは連結部Ｐ２に押え付けられて固定されたものとなる。なお、板状記憶媒体４０は、その後端側がケーシング２の差込口２ａからある程度突出した状態でケーシング２に収納される。
【００３８】
（板状記憶媒体の保持）
また、図６に示した状態では、板状記憶媒体４０の側部の係合凹部４０ｄに、ラッチ付勢部材１６で付勢されたラッチ８が係合しているので、板状記憶媒体４０がケーシング２から引き抜き不可能に保持された状態で維持される。
【００３９】
また、このような状態のもとで、この板状記憶媒体ホルダ１が搭載されている機器に振動や衝撃力等（例えば、この板状記憶媒体ホルダが搭載されている携帯電話の落下着地時の衝撃等）の不測の外力が働いて、この外力が機構収容部４奥側へスライダ６を変位させる方向に作用すると、図７に示すように規制ブロック９もこの外力を受けることにより、ブロック付勢部材１０の規制に抗して案内溝２０上を機構収容部４奥側、すなわち揺動バー７の先端側に移動する。すると、揺動バー７が規制ブロック９に規制され、カム係合部７ｂの第３溝５ｃから第４溝５ｄへの移動が不能となる。すなわち、外力によってカム係合部７ｂが連結部Ｐ２から第４溝５ｄの機構収容部４奥側端部Ｐ３に向けて若干移動したとしても、揺動バー７に対する規制ブロック９の規制によって揺動バー７の移動が妨げられ、これにより揺動バー７のカム係合部７ｂは連結部Ｐ２に復帰させられるのである。
【００４０】
したがって、このようにカム係合部７ｂの移動が不能となることにより、スライダ６が機構収容部４の奥側に保持され、またラッチ８も板状記憶媒体４０の凹所０ｅに係合した状態を維持していることにより、落ちた際の衝撃力などの不測の力によって板状記憶媒体４０がケーシング２から抜け出し、そのまま飛び出してしまうといった不都合が防止される。
また、溝カム５は、第２溝５ｂと第３溝５ｃとの間の連結部Ｐ２側が、第１溝５ａと第４溝５ｄとの間の連結部Ｐ４側よりその溝の深さが深く形成されているので、カム係合部７ｂは連結部Ｐ２においてその係合が安定したものとなっており、したがって不測の力が加えられても、カム係合部７ｂが浮き上がり、溝カム５から外れてしまうといった不都合が防止されている。
【００４１】
なお、規制ブロック９がブロック付勢部材１０の付勢によって案内溝２０の機構収容部４手前側にあるときには、後述するように揺動バー７の第４溝５ｄ側への移動を妨げず、案内溝２０の機構収容部４奥側（揺動バー７の先端側）に移動すると、揺動バー７を規制してカム係合部７ｂの第３溝５ｃから第４溝５ｄへの移動を不能にするのは、以下の理由による。
揺動バー７はその基端部７ａを回動軸としていることから、揺動バー７自体の回動時の移動（揺動）距離としては、この基端部７ａ側では短く、先端側では長くなる。よって、規制ブロック９が機構収容部４手前側にあるときには、揺動バー７の移動距離が比較的短く、しかも案内溝２０の機構収容部４手前側に幅広部２０ａを形成して規制ブロック９が揺動バー７を規制しないようにここに移動するようにしていることから、揺動バー７に干渉してこれを規制することなく、一方、規制ブロック９が機構収容部４奥側にあるときには、揺動バー７の移動距離が比較的長いことから、これに干渉して規制するようになるのである。
【００４２】
（板状記憶媒体の取り出し）
前記の保持状態から板状記憶媒体４０を引き出すには、これのケーシング２差込口２ａからの突出部分を利用し、これをケーシング２の挿入方向奥側に再度押し込む。すると、板状記憶媒体４０の押圧壁４０ｃがスライダ６の薄板部１３の端縁１３ａを押圧することによってその押圧力がスライダ６に伝達され、カム係合部７ｂが第４溝５ｄの機構収容部４奥側端部に向けて押圧され、ついには図８に示すようにカム係合部７ｂが第４溝５ｄの機構収容部４奥側の端部Ｐ３（連結部）に到達する。このとき、規制ブロック９はブロック付勢部材１０に付勢されて機構収容部４手前側にあることから、揺動バー７が揺動した際にこれに押されて案内溝２０内の幅広部２０ａをケーシング２側に移動し、結果として揺動バー７は規制ブロック９に規制されることなく端部Ｐ３に到達することになる。
【００４３】
この後、板状記憶媒体４０が奥側に突き当たったことを操作者が感知して押圧力を解除すると、スライダ付勢部材１１によってスライダ６が機構収容部４手前側に付勢されることにより、該スライダ６が機構収容部４手前側に移動して図２に示すように初期位置に復帰し、これに伴ってカム係合部７ｂが第４溝５ｄから第１溝５ａに移動する。また、スライダ６の移動に伴われてラッチ８も機構収容部４手前側に移動することにより、ラッチ８の係合突起８ａが案内カム１７の斜辺１７ａに沿って移動し、これによりラッチ８は後退してスライダ６内に引っ込む。そして、これによりラッチ８と板状記憶媒体４０の係合凹部４０ｄとの係止状態が解除される。このような状態のもとで、スライダ６の薄板部１３に伴われて手前側に引き戻された板状記憶媒体４０は、その過半部がケーシング２から引き出されて離脱し、ケーシング２による保持から解除される。
【００４４】
（板状記憶媒体の誤挿入時）
また、板状記憶媒体４０が逆向きあるいは表裏逆に誤挿入された場合、図９に示すようにスライダ６の薄板部１３の端縁１３ａが誤挿入された板状記憶媒体４０の先端面に押圧されることにより、スライダ６が機構収容部４奥側に移動する。しかしながら、ケーシング２の底面に誤挿入防止部２ｄが形成されていることにより、板状記憶媒体４０の先端面がこの誤挿入防止部２ｄに当接する位置に至ると、それ以上は挿入ができなくなり、したがって操作者は正規な挿入でないことに気が付く。
【００４５】
また、このとき、誤挿入された板状記憶媒体４０がスライダ６を押圧して移動した際、揺動バー７のカム係合部７ｂが第２溝５ｂに至る前に、板状記憶媒体４０の移動を停止させるように誤挿入防止部２ｄが形成されているので、板状記憶媒体４０が誤挿入された際、保持機構３が保持のための動作を起こす前に誤挿入防止部２ｄによってその動作が停止させられる。
また、板状記憶媒体４０が誤挿入された際、ラッチ８は板状記憶媒体４０の側面に係合凹部４０ｄがないことから該側面で塞がれることになる。その際、ラッチ８の係合突起８ａが移動する案内カム１７が略直角三角形状になっていることにより、ラッチ８が機構収容部４奥側に移動した際にも、ケーシング２側に前進することなく後退した状態が維持されるようになっている。したがって、板状記憶媒体４０が誤挿入された際に、この誤挿入に起因してラッチ８が破損してしまうことが防止される。
【００４６】
このようなホルダ１にあっては、板状記憶媒体４０をケーシング２に挿入し、これを引き抜き不可能な収納状態に維持しているとき、このホルダ１が搭載されている機器に振動や衝撃力等の不測の外力が働いて、この外力が機構収容部４奥側へスライダ６を変位させる方向に作用した場合にも、この不測の力を受けた規制ブロック９がブロック付勢部材１０の規制に抗して揺動バー７先端側に移動することにより、揺動バー７の移動（揺動）をこの規制ブロック９で規制し、カム係合部７ａの第３溝５ｃから第４溝５ｄへの移動を不能にする。したがって、このようにカム係合部７ａの移動を不能にすることにより、落ちた際の衝撃力等によって保持機構３による板状記憶媒体４０の保持が解除され、板状記憶媒体４０がケーシング２から飛び出してしまうといった不都合を防止することができる。
【００４７】
また、スライダ６に揺動バー７を押さえてこれが溝カム５側から浮き上がるのを防止するバー押さえ部１４を設けたので、揺動バー７のカム係合部７ａが溝カム５から外れてしまい、ケーシング２への板状記憶媒体４０の保持が不測に解除されてしまうといったことを防止することができる。
また、溝カム５の、第２溝５ｂと第３溝５ｃとの連結部Ｐ２側が、第１溝５ａと第４溝５ｄとの連結部Ｐ４側よりその溝の深さが深く形成されているので、特にカム係合部７ｂが連結部Ｐ２にあるときにその係合が安定し、これにより不測の力等によってカム係合部が浮き上がり、溝カム５から外れてしまうことを防止することができる。
【００４８】
また、誤挿入防止部２ｄを形成したので、板状記憶媒体４０が誤挿入された際、保持機構３が保持のための動作を起こす前に誤挿入防止部２ｄによってその動作を停止させることができ、したがって誤挿入に起因して保持機構３等が故障するのを未然に防止することができる。
また、ラッチ８の係合突起８ａを案内する案内カム１７を、板状記憶媒体４０が誤挿入された際、その側面に係合凹部４０ｄがないことによってラッチ８がこれに当接した場合に、ケーシング２側に前進させずに後退した状態を維持させるように形成しているので、誤挿入に起因してラッチ８が破損してしまうのを防止することができる。
【００４９】
なお、本発明の板状記憶媒体用ホルダの具体的構成は、前述の実施の形態に限定されることなく、適宜変更が可能である。
例えば溝カムの形状については、前記例に限定されることなく種々の態様が可能であり、例えば図１０（ａ）〜（ｃ）に示すような形状のものも採用可能である。
図１０（ａ）に例示した溝カム２５は、第１溝２５ａに比べて第４溝２５ｄの方を機能収容部奥側（図１０（ａ）上側）に延ばしたもので、機能収容部手前側へいくにしたがって第１溝２５ａ側から第４溝２５ｄ側となるように傾斜された第２溝２５ｂの機能収容部手前側端部と、第４溝２５ｄの機能収容部奥側端部との間を連通させる第３溝２５ｃに、機能収容部延在方向に沿った延在寸法を十分に確保させるようにしたものである。
【００５０】
図１０（ｂ）に例示した溝カム２６も、同様に、第１溝２６ａに比べて第４溝２６ｄの方を機能収容部奥側（図１０（ｂ）上側）に延ばしたもので、機能収容部手前側へいくにしたがって第１溝２６ａ側から第４溝２６ｄ側となるように傾斜された第２溝２６ｂの機能収容部手前側端部と、第４溝２６ｄの機能収容部奥側端部との間を連通させる第３溝２６ｃに、機能収容部延在方向に沿った延在寸法を十分に確保させるようにしたものである。ただし、図１０（ａ）の溝カム２５の第３溝２５ｃは直線状であるのに対し、図１０（ｂ）の溝カム２６の第３溝２６ｃは曲線状になっている。
図１０（ａ）、（ｂ）に示した溝カム２５、２６では、機能収容部における溝カムの形成範囲をほとんど拡張しなくても、第３溝２５ｃ、２６ｃの機能収容部延在方向に沿った延在寸法を増大させることができ、保持機構による板状記憶媒体のケーシングからの引き抜き不可能な保持状態が衝撃力等によって不用意に解除されることをより効果的に防止することができる。
【００５１】
図１０（ｃ）に示した溝カム２７は、機能収容部の延在方向に沿って延在する第１溝２７ａ、第４溝２７ｄと、第３溝２７ｃとを有しているものの、第２溝２７ｂの奥側端部は、中央部が機能収容部手前側に張り出したＶ字状の連結溝２７ｅを介して第１溝２７ａの奥側端部と連通されたものとなっている。連結溝２７ｅは、機能収容部奥側から手間側へいくにしたがって第１溝２７ａ側から第４溝２７ｄ側となるように傾斜された連結第１溝２７ｅ１と、これの手前側端部と第２溝２７ｂの奥側端部との間を接続する連結第２溝２７ｅ２とを有して構成されたものとなっている。
この溝カム２７では、不測の力によって第３溝２７ｃ上に揺動バー７のカム係合部７ｂが移動しようとした際、規制ブロック９によってこれを規制するようにしているが、不測の力によって連結溝２７ｅの連結第２溝２７ｅ２上に揺動バー７のカム係合部７ｂが移動しようとした際、規制ブロック９によってこれを規制するようにし、連結第１溝２７ｅ１を本発明に係る第２溝、連結第２溝２７ｅ２を本発明に係る第３溝として機能させることも可能である。
このように、本発明に係る溝カムは、第１溝と第２溝との間、第３溝と第４溝との間に、連通用の溝が介在されている構成も含む。また、第１溝と第４溝との間でカム係合部が移動される第２溝と第３溝の対は、１対に限定されず、複数であっても良い。
【００５２】
【発明の効果】
以上説明したように、本発明の板状記憶媒体用ホルダによれば、板状記憶媒体をケーシングに挿入し、これを引き抜き不可能な収納状態に維持しているとき、このホルダが搭載されている機器に振動や衝撃力等の不測の外力が働いて、この外力が前記板状記憶媒体の挿入方向へスライダを変位させる方向に作用した場合にも、この不測の力を受けた規制ブロックがブロック付勢部材の規制に抗して揺動バー先端側に移動することにより、揺動バーの移動（揺動）をこの規制ブロックで規制し、カム係合部の第３溝から第４溝への移動を不能にする。したがって、このようにカム係合部の移動を不能にすることにより、落ちた際の衝撃力等によって保持機構による板状記憶媒体の保持が解除され、板状記憶媒体がケーシングから飛び出してしまうといった不都合を防止することができる。
【図面の簡単な説明】
【図１】  本発明の板状記憶媒体用ホルダと板状記憶媒体との概略構成を示す平面図である。
【図２】  本発明の板状記憶媒体用ホルダの一実施形態例の、保持機構の初期状態を説明するための要部拡大平面図である。
【図３】  （ａ）は溝カムの拡大平面図、（ｂ）は機構収容部４底板の側面図である。
【図４】  スライダとこれに取り付けられる各部品の構成を説明するための分解斜視図である。
【図５】  図２に示した保持機構の作用を説明するための図であって、板状記憶媒体を挿入した状態を示す要部拡大平面図である。
【図６】  図２に示した保持機構の作用を説明するための図であって、板状記憶媒体が保持機構に保持されている状態を示す要部拡大平面図である。
【図７】  図２に示した保持機構の作用を説明するための図であって、保持機構に不測の外力が働いたときの状態を示す要部拡大平面図である。
【図８】  図２に示した保持機構の作用を説明するための図であって、板状記憶媒体を取り出すときの状態を示す要部拡大平面図である。
【図９】  図２に示した保持機構の作用を説明するための図であって、板状記憶媒体が誤挿入されたときの状態を示す要部拡大平面図である。
【図１０】  （ａ）〜（ｃ）は、本発明の保持機構に適用可能な溝カムの別態様を示す図である。
【符号の説明】
１…板状記憶媒体用ホルダ、２…ケーシング、２ｄ…誤挿入防止部、
３…保持機構、４…機構収容部、５…溝カム、５ａ…第１溝、５ｂ…第２溝、
５ｃ…第３溝、５ｄ…第４溝、６…スライダ、７…揺動バー、７ａ…基端部、
７ｂ…カム係合部、８…ラッチ、８ａ…係合突起、９…規制ブロック、
１０…ブロック付勢部材、１１…スライダ付勢部材、１３…薄板部、
１４…バー押さえ部、１７…案内カム、２０…案内溝、４０…板状記憶媒体、
４０ｄ…係合凹部
【図１】
0003676287.tif 000002
【図２】
0003676287.tif 000003
【図３】
0003676287.tif 000004
【図４】
0003676287.tif 000005
【図５】
0003676287.tif 000006
【図６】
0003676287.tif 000007
【図７】
0003676287.tif 000008
【図８】
0003676287.tif 000009
【図９】
0003676287.tif 000010
【図１０】
0003676287.tif 000011